(57)【要約】【課題】建築物、乗り物等のガラス及びタイル、プラスチックなどの表面に付着した強固な付着物、詳しくは業界で水紋（ウロコ状固着物）と呼ばれ、水道水や地下水、雨水等の水滴が建築物、乗り物等のガラス及びタイル、プラスチックなどに付着した後に乾燥し、地下水、水道水、雨水等に含まれるミネラル分が、素材に強固に付着することによって形成されるウロコ状の水紋を除去するウロコ状固着物除去剤及び除去方法を提案する。【解決手段】本発明のウロコ状固着物除去剤は、（Ａ）酸性基を含んだ界面活性剤及び（Ｂ）水溶性溶剤を、（Ｃ）水又は水と有機溶剤混合物に溶解又は分散した基剤に、（Ｄ）炭化珪素を混合、分散して成る。【選択図】        なし【特許請求の範囲】
【請求項１】
（Ａ）酸性基を含んだ界面活性剤及び（Ｂ）水溶性溶剤を、（Ｃ）水又は水と有機溶剤混合物に溶解又は分散した基剤に、（Ｄ）炭化珪素を混合、分散して成る事を特徴とするウロコ状固着物除去剤。
【請求項２】
（Ｂ）水溶性溶剤は、平均分子量１０００以下である事を特徴とする請求項１に記載のウロコ状固着物除去剤。
【請求項３】
（Ｂ）水溶性溶剤の含有量は０．１％〜３０％である事を特徴とする請求項１又は２に記載のウロコ状固着物除去剤。
【請求項４】
（Ｄ）炭化珪素は、平均粒径７μｍ以下である事を特徴とする請求項１〜３の何れか一項に記載のウロコ状固着物除去剤。
【請求項５】
（Ｄ）炭化珪素の含有量は、０．５％〜７０％である事を特徴とする請求項１〜４の何れか一項に記載のウロコ状固着物除去剤。
【請求項６】
請求項１〜５の何れか一項に記載のウロコ状固着物除去剤を用いて塗布具により被処理面に付着したウロコ状固着物を除去する事を特徴とするウロコ状固着物除去方法。
【発明の詳細な説明】
【０００１】
【発明の属する技術分野】
本発明は、建築物、乗り物等のガラス及びタイル、プラスチックなどの表面に付着した強固な付着物、詳しくは業界で水紋（ウロコ状固着物）と呼ばれ、水道水や地下水、雨水等の水滴が建築物、乗り物等のガラス及びタイル、プラスチックなどに付着した後に乾燥し、地下水、水道水、雨水等に含まれるミネラル分が、素材に強固に付着することによって形成されるウロコ状の水紋を除去するウロコ状固着物除去剤及び除去方法に関する。
【０００２】
【従来の技術】
建築物、乗り物等のガラス及びタイル、プラスチックなどに付着したウロコ状固着物は、地下水、水道水、雨水に含まれるミネラル分が乾燥し、素材に強固に付着し、建築物、乗り物等の外観を損ねるものであって、そのウロコ状固着物の除去は大変困難であった。
従来、表面処理剤、或いは洗浄剤等の名称にて各種の組成物が提案され、また多くの製品が商品化されている（特許文献１，２など）。
【０００３】
【特許文献１】
特開平６−４１５１８号公報
【特許文献２】
特開平１０−８８１９４号公報
【０００４】
【発明が解決しようとする課題】
特許文献１に開示された表面処理剤は、有機シリカ化合物とシラン系界面活性剤をマイクロカプセル化し、炭化珪素等の砥粒を混合してなる組成であり、特許文献２に開示された洗浄剤は、界面活性剤と炭化水素、水、固体粒子からなる組成であるが、これらの組成物は、各種の汚損成分に対する所定の除去効果は認められるものの、被処理面に強固に付着しているウロコ状固着物の除去効果については十分ではなかった。
【０００５】
また、ウロコ状固着物の除去には、強酸或いは強アルカリ溶液に、無機粉体を分散させたウロコ状固着物除去剤や、粉体の比重が高い事より増粘剤等を添加して安定分散化したスラリー状のウロコ状固着物除去剤、或いは強酸又は強アルカリ溶液に、無機粉体を分散し、界面活性剤と溶剤を混合してエマルション化したウロコ状固着物除去剤等が市販、使用されていた。
しかし、市販されているウロコ状固着物除去剤は、強酸性、又は強アルカリ性であり、ウロコ状固着物が付着している被処理面（素材）が酸やアルカリによって傷められるだけでなく、作業に十分注意を払わないと、皮膚に炎症を起こすなど人体に有害な物であった。また、作業性においても、多くの労力を要する物が、殆どであった。
【０００６】
【課題を解決するための手段】
本発明は、上記実情に鑑み鋭意検討されたものであり、（Ａ）酸性基を含んだ界面活性剤及び（Ｂ）水溶性溶剤を、（Ｃ）水又は水と有機溶剤混合物に溶解又は分散した基剤に、（Ｄ）炭化珪素を混合、分散して成る事を特徴とするウロコ状固着物除去剤に関するものである。
【０００７】
また、本発明は、上記ウロコ状固着物除去剤を用いて塗布具により被処理面に付着したウロコ状固着物を除去する事を特徴とするウロコ状固着物除去方法をも提案する。
【０００８】
【発明の実施の形態】
始めに、本発明のウロコ状固着物除去剤を構成する各成分（Ａ）〜（Ｄ）について説明する。
まず、本発明に用いられる（Ａ）酸性基を含んだ界面活性剤としては、脂肪酸エステル、多価アルコール脂肪酸エステル、グリセリン脂肪酸エステル、ポリオキシエチレングリセリン脂肪酸エステル、ポリグリセリン脂肪酸エステル、ソルビタン脂肪酸エステル、ポリオキシエチレンソルビタン脂肪酸エステル、ポリオキシエチレンソルビット脂肪酸エステル、ポリエチレングリコール脂肪酸エステル、アルキルエーテルカルボン酸塩、ポリオキシエチレンアルキルエーテルリン酸、ポリオキシエチレンアルキルエーテルリン酸塩、アルキルリン酸塩、スルホン酸塩、アルキル硫酸塩、ポリキシエチレンアルキルエーテル硫酸塩、アルキルベンゼンスルホン酸、アルキルベンゼンスルホン酸塩、スルホコハク酸塩、リン酸エステル等の界面活性剤、及び上記構造にフッ素が付いたフッ素系界面活性剤の一種又は二種以上を使用することができる。このような酸性基を含んだ界面活性剤は、無機系のカルシウム分、マグネシウム分、シリカ分を主成分とするウロコ状固着物の脱離に好適に作用すると共に、他の汚損成分の除去にも有効に作用する。例えばこれに代えて酸性基を含まない界面活性剤を用いた場合、他の汚損成分の除去には有効であるが、無機系成分を主成分とするウロコ状固着物への作用は殆ど無く除去も果たされない。
この（Ａ）界面活性剤の添加量としては、固形分濃度で０．０１％〜３０．０％が望ましく、より好適には０．０５％〜２０．０％である。添加量が０．０１％未満であると、界面活性剤効果が得られず、３０．０％以上であると、洗浄面に残った界面活性剤分を除去するのが、困難になってしまう。
【０００９】
本発明に用いられる（Ｂ）水溶性溶剤としては、平均分子量１０００以下のグリコール類などを好適に用いることができる。このグリコール類としては、具体的にはグリセリン、エチレングリコール、ジエチレングリコール、プロピレングリコール、ポリエチレングリコール、グリコールエーテル等の一種又は二種以上を使用することができる。このグリコール類の平均分子量が、１０００を超える場合、除去作業完了時、グリコール類が素材に残り、拭き取りが困難になってしまう。このような水溶性溶剤は、適度な滑り効果を果たし、再付着を防止し、拭き取り作業を円滑に行うことができる。
この（Ｂ）水溶性溶剤の添加量としては、０．１％〜３０．０％が望ましい。添加量が０．１％未満であると、本ウロコ状固着物除去剤が乾燥後、被処理面にコビリ付いて拭き取れなくなってしまい、３０．０％以上であると、滑剤として働いてしまうため、ウロコ状固着物除去効果が悪くなってしまう。
【００１０】
本発明に用いる（Ｄ）炭化珪素としては、平均粒径７μｍ以下のものを好適に用いることができる。平均粒子径が７μｍより大きいと、ウロコ状固着物が付着している素材自体に、傷が入る恐れがあるためである。この炭化珪素は、他の粒状研磨剤に比べて硬質であるため、無機系成分を主成分とするウロコ状固着物への作用（物理的な剥離作用）も強く、その除去に大きな貢献を果たす。
この（Ｄ）炭化珪素の添加量としては、０．５％〜７０．０％が望ましく、より好適には１．０％〜５０．０％である。添加量が０．５％未満であると、炭化珪素による十分な研磨力が得られず、７０．０％より多く添加しても、炭化珪素による研磨力はそれ以上変わらないからである。
【００１１】
本発明に用いられる（Ｃ）成分は、水単独を使用する場合と、水と有機溶剤の混合物を使用する場合がある。後者の混合物に用いられる有機溶剤としては、工業用ナフサ、ナフテン系、イソパラフィン、芳香族溶剤等の炭化水素系溶剤、シリコン系溶剤、アルコール系溶剤、ケトン系等の一種又は二種以上を使用することができる。
この（Ｃ）水又は水と有機溶剤の混合物の添加量は、前記（Ａ）、（Ｂ）、（Ｄ）成分の添加量の残部を用いれば良く、特に有機溶剤を用いる場合であって且つ被処理面がプラスチックや塗装面である場合には、被処理面をおかさない程度の使用量に抑える配慮が必要である。
【００１２】
本発明のウロコ状固着物除去剤は、前記（Ａ）酸性基を含む界面活性剤及び（Ｂ）グリコール類等の水溶性溶剤を、（Ｃ）水又は水と有機溶媒の混合物に、溶解又は分散させて基剤とし、該基剤中に、（Ｄ）炭化珪素粉体を分散して成る組成を有するものであって、必要により前述の効果を損なわない範囲で（Ｅ−１）増粘剤、（Ｅ−２）他の無機又は有機粉体、（Ｅ−３）塩及び電解質、（Ｅ−４）香料、（Ｅ−５）防腐剤、（Ｅ−６）酸又は（Ｅ−７）アルカリ等の添加剤を適宜に添加することができる。
【００１３】
（Ｅ−１）増粘剤としては、ベントナイト、モンモリロナイト、雲母、等の無機系増粘剤、カルボキシメチルセルロース、メチルセルロース、エチルセルロース等のセルロース系半合成高分子、可溶性デンプン、カルボキシメチルデンプン、ジアルデヒドデンプン等のデンプン系半合成高分子、ポリビニールアルコール、ポリアクリル酸ナトリウム、ガラクタン、トラトンゴム、アラビアゴム、コラーゲン、ザンサンガム、水溶性ポリアクリル共重合体、ゼラチン、寒天等の一種又は二種以上を使用することができる。
この（Ｅ−１）増粘剤の添加量は、目的とする形態に必要な量を添加すれば良い。
【００１４】
（Ｅ−２）他の（＝炭化珪素以外の）無機粉体としては、シリカ、カオリン、軽藻土、ゼオライト、炭化カルシウム、水酸化アルミニウム、酸化アルミニウム、酸化セリウム、炭化ホウ素、酸化マグネシウム、コロイダルシリカ、アルミナゾル、チタンゾル、導電性複酸化物ゾル等の一種又は二種以上を使用することができる。
また、有機粉体としては、ポリオレフィンパウダー、４フッ化エチレンパウダー、シリコンパウダー、ポリエチレンパウダー等の有機合成樹脂粉体の一種又は二種以上を使用ことができる。
この（Ｅ−２）他の無機粉体又は有機粉体を添加する事により、相乗効果でウロコ状固着物除去効果が向上したり、塗布後のインジケーターや、拭き取り助剤として、効果を発揮する。
【００１５】
（Ｅ−３）塩及び電解質としては、Ｃａ２＋、Ａｌ３＋、Ｍｇ２＋、Ｎａ＋、Ｋ＋、Ｌｉ＋、Ｆ−、Ｃｌ−、ＮＯ３−、ＣＨ３ＣＯＯ−、ＳＯ４２−、  ＰＯ４３−、Ｓ２−等、ホルムアルデヒド、エチルアミン、モルホリン、エタノールアミン、アンモニウム系等が挙げられる。
この（Ｅ−３）塩及び電解質を添加する事により、ビルダー効果により、ウロコ状固着物除去効果がアップする。
【００１６】
（Ｅ−４）香料は、作業時、心地よいリモネン等の公知の香料を適宜に添加すれば良く、（Ｅ−５）防腐剤は、液性に合う物、例えばメチルパラベン等を適宜に添加すれば良い。
【００１７】
（Ｅ−６）酸としては、蟻酸、酢酸、塩酸、硫酸、硝酸、フッ酸、リン酸、シュウ酸、クエン酸、リンゴ酸等の一種又は二種以上を使用することができる。
また、（Ｅ−７）アルカリとしては、水酸化ナトリウム、水酸化カリウム、アンモニア等の一種又は二種以上を適宜に使用することができる。
これら（Ｅ−６）酸、（Ｅ−７）アルカリを加える事により、効果アップが見られたりするが、液性が、酸性、もしくはアルカリ性に移行するため、用途により添加の有無、添加量を適宜に定めれば良い。作業性、皮膚への影響を考慮してその添加量を制限することは勿論であるが、例えばガラス面や金属面、或いは塗装面のように酸やアルカリにより傷められる虞がある被処理面（素材）に対しては、さらに添加量を抑える配慮が必要となる。
【００１８】
本発明のウロコ状固着物除去剤は、前記（Ａ）〜（Ｄ）の４成分を必須成分として含有する組成であって、必要に応じて前記（Ｅ−１）〜（Ｅ−７）の各成分を適宜添加しても良く、その使用において、スポンジ、不織布、ウエスなどの塗布具に付け、数回被処理面を研磨するだけでウロコ状固着物を除去でき、表面光沢を回復、向上することができる。
本発明を適用する被処理面（素材）については、特に限定するものではなく、例えばガラス、セラミック、金属、プラスチック、塗装面等、どのようなものでも良い。  また、本発明のウロコ状固着物除去剤の原液形態についても特に限定するものではなく、例えば分散溶液、固状、ゲル状、エマルション等でもかまわない。
さらに、その製品形態についても特に限定するものではなく、例えば液体、固形、ゲル状物を容器に充填した形態や、ポンプ、エアゾールの形態、スポンジや不織布含侵液の形態でも良い。
【００１９】
【実施例】
以下に、実施例１〜１４、及び比較例１〜８のウロコ状固着物除去剤の組成を示す。尚、［％］は［重量％］である。
【００２０】
〔実施例１〕
（Ａ）サンノールＤＭ−１４７０（ライオン（株），ポリオキシエチレンアルキルエーテル硫酸塩，固形分７０％）・・・・１０．０％
（Ｄ）信濃ランダムＧＰ−２０００（信越化学（株），炭化珪素，平均粒径６．７μｍ）５０．０％
（Ｂ）プロピレングリコール                                              ２０．０％
（Ｃ）水                                                        １９．８％
（Ｅ−５）メチルパラベン                                                  ０．２％
【００２１】
〔実施例２〕
（Ａ）ライポンＬＳ−２５０（ライオン（株），スルホン酸塩，固形分５０％）          ２０．０％
（Ｄ）信濃ランダムＧＰ−２０００（信越化学（株），炭化珪素，平均粒径６．７μｍ）５０．０％
（Ｂ）プロピレングリコール                                              ２０．０％
（Ｅ−１）セロゲンＢＳＨ−１０（第一工業薬品（株），カルボキシメチルセルロース）    １．０％
（Ｃ）水                                                          ８．８％
（Ｅ−５）メチルパラベン                                                  ０．２％
【００２２】
〔実施例３〕
（Ａ）ラピゾールＡ−７０（日本油脂（株），スルホコハク酸塩，固形分７０％）        １５．０％
（Ｄ）信濃ランダムＧＰ−２０００（信越化学（株），炭化珪素，平均粒径６．７μｍ）５０．０％
（Ｂ）エチレングリコール                                                  ２０．０％
（Ｃ）水                                                        １４．８％
（Ｅ−５）メチルパラベン                                                  ０．２％
【００２３】
〔実施例４〕
（Ａ）プライサーフＡ２１２Ｃ（第一工業薬品（株），リン酸エステル）                ２０．０％
（Ｄ）信濃ランダムＧＰ−２０００（信越化学（株），炭化珪素，平均粒径６．７μｍ）５０．０％
（Ｂ）プロピレングリコール                                              ２０．０％
（Ｅ−１）セロゲンＢＳＨ−１０（第一工業薬品（株），カルボキシメチルセルロース）    １．０％
（Ｃ）水                                                          ８．８％
（Ｅ−５）メチルパラベン                                                  ０．２％
【００２４】
〔実施例５〕
（Ａ）ノイゲンＥＳ−１４９（第一工業薬品（株），ポリオキシエチレングリコール脂肪酸エステル）１０．０％
（Ｄ）信濃ランダムＧＰ−２０００（信越化学（株），炭化珪素，平均粒径６．７μｍ）５０．０％
（Ｂ）プロピレングリコール                                              ２０．０％
（Ｅ−１）セロゲンＢＳＨ−１０（第一工業薬品（株），カルボキシメチルセルロース）    １．０％
（Ｃ）水                                                        １８．８％
（Ｅ−５）メチルパラベン                                                  ０．２％
【００２５】
〔実施例６〕
（Ａ）ソルゲン４０（第一工業薬品（株），ソルビタン脂肪酸エステル）            ２０．０％
（Ｄ）信濃ランダムＧＰ−２０００（信越化学（株），炭化珪素，平均粒径６．７μｍ）５０．０％
（Ｂ）ジエチレングリコール                                                ２０．０％
（Ｅ−１）セロゲンＢＳＨ−１０（第一工業薬品（株），カルボキシメチルセルロース）    １．０％
（Ｃ）水                                                          ８．８％
（Ｅ−５）メチルパラベン                                                  ０．２％
【００２６】
〔実施例７〕
（Ａ）ライポンＬＳ−２５０（ライオン（株），スルホン酸塩，固形分５０％）          １０．０％
（Ａ）ノイゲンＥＳ−１４９（第一工業薬品（株），ポリオキシエチレングリコール脂肪酸エステル）  ５．０％
（Ｄ）信濃ランダムＧＰ−２０００（信越化学（株），炭化珪素，平均粒径６．７μｍ）５０．０％
（Ｂ）プロピレングリコール                                              ２０．０％
（Ｅ−１）セロゲンＢＳＨ−１０（第一工業薬品（株），カルボキシメチルセルロース）    １．０％
（Ｃ）水                                                        １３．８％
（Ｅ−５）メチルパラベン                                                  ０．２％
【００２７】
〔実施例８〕
（Ａ）ラピゾールＡ−７０（日本油脂（株），スルホコハク酸塩，固形分７０％）        １５．０％
（Ｄ）信濃ランダムＧＰ−２０００（信越化学（株），炭化珪素，平均粒径６．７μｍ）４０．０％
（Ｂ）グリセリン                                                    １０．０％
（Ｃ）水                                                          ８．８％
（Ｃ）ミネラルスピリットＡ（新日本石油（株），ナフサ）                        ２６．０％
（Ｅ−５）メチルパラベン                                                  ０．２％
【００２８】
〔実施例９〕
（Ａ）ノイゲンＥＳ−１４９（第一工業薬品（株），ポリオキシエチレングリコール脂肪酸エステル）１０．０％
（Ｄ）信濃ランダムＧＰ−２０００（信越化学（株），炭化珪素，平均粒径６．７μｍ）４０．０％
（Ｂ）プロピレングリコール                                              ２０．０％
（Ｅ−１）セロゲンＢＳＨ−１０（第一工業薬品（株），カルボキシメチルセルロース）    １．０％
（Ｅ−２）アルミナＡ３３Ｆ（日本軽金属（株），微粒アルミナ，平均粒径０．７μｍ）    １０．０％
（Ｃ）水                                                        １８．８％
（Ｅ−５）メチルパラベン                                                  ０．２％
【００２９】
〔実施例１０〕
（Ａ）ソルゲン４０（第一工業薬品（株），ソルビタン脂肪酸エステル）            １０．０％
（Ｄ）信濃ランダムＧＰ−２０００（信越化学（株），炭化珪素，平均粒径６．７μｍ）５０．０％
（Ｂ）プロピレングリコール                                              ２０．０％
（Ｅ−２）ＭＰＰ−６１１ＸＦ（ＭＩＣＲＯ  ＰＯＷＤＥＲＳ，ＩＮＣ，ＰＥパウダー，平均粒径４．５μｍ）    ５．０％
（Ｃ）水                                                        １４．８％
（Ｅ−５）メチルパラベン                                                  ０．２％
【００３０】
〔実施例１１〕
（Ａ）サンノールＤＭ−１４７０（ライオン（株），ポリオキシエチレンアルキルエーテル硫酸塩，固形分７０％）・・・・１０．０％
（Ｄ）信濃ランダムＧＰ−２０００（信越化学（株），炭化珪素，平均粒径６．７μｍ）５０．０％
（Ｂ）プロピレングリコール                                              １０．０％
（Ｅ−１）セロゲンＢＳＨ−１０（第一工業薬品（株），カルボキシメチルセルロース）    ０．５％
（Ｅ−３）硫酸ナトリウム                                                  ３．０％
（Ｃ）水                                                        ２６．３％
（Ｅ−５）メチルパラベン                                                  ０．２％
【００３１】
〔実施例１２〕
（Ａ）プライサーフＡ２１２Ｃ（第一工業薬品（株），リン酸エステル）                １５．０％
（Ｄ）信濃ランダムＧＰ−２０００（信越化学（株），炭化珪素，平均粒径６．７μｍ）５０．０％
（Ｂ）プロピレングリコール                                              ２０．０％
（Ｅ−４）リモネン（安原油脂（株））                                      １．０％
（Ｃ）水                                                        １３．８％
（Ｅ−５）メチルパラベン                                                  ０．２％
【００３２】
〔実施例１３〕
（Ａ）ライポンＬＳ−２５０（ライオン（株），スルホン酸塩，固形分５０％）          １０．０％
（Ｄ）信濃ランダムＧＰ−２０００（信越化学（株），炭化珪素，平均粒径６．７μｍ）５０．０％
（Ｂ）プロピレングリコール                                              ２０．０％
（Ｅ−１）セロゲンＢＳＨ−１０（第一工業薬品（株），カルボキシメチルセルロース）    １．０％
（Ｅ−７）アンモニア水                                                    ０．２％
（Ｃ）水                                                        １８．６％
（Ｅ−５）メチルパラベン                                                  ０．２％
【００３３】
〔実施例１４〕
（Ａ）ノイゲンＥＳ−１４９（第一工業薬品（株），ポリオキシエチレングリコール脂肪酸エステル）１０．０％
（Ｄ）信濃ランダムＧＰ−２０００（信越化学（株），炭化珪素，平均粒径６．７μｍ）４０．０％
（Ｂ）プロピレングリコール                                              ２０．０％
（Ｅ−１）セロゲンＢＳＨ−１０（第一工業薬品（株），カルボキシメチルセルロース）    １．０％
（Ｅ−６）硝酸                                                      ０．１％
（Ｃ）水                                                          ９．８％
（Ｃ）ミネラルスピリットＡ（新日本石油（株），ナフサ）                        １８．９％
（Ｅ−５）メチルパラベン                                                  ０．２％
【００３４】
〔比較例１〕・・・・（Ａ）成分を含まない。
ノイゲンＥＴ−１４７（第一工業薬品（株），ポリオキシエチレンアルキルエーテル）        １０．０％
（Ｄ）信濃ランダムＧＰ−２０００（信越化学（株），炭化珪素，平均粒径６．７μｍ）５０．０％
（Ｂ）プロピレングリコール                                              ２０．０％
（Ｅ−１）セロゲンＢＳＨ−１０（第一工業薬品（株），カルボキシメチルセルロース）    １．０％
（Ｃ）水                                                        １８．８％
（Ｅ−５）メチルパラベン                                                  ０．２％
【００３５】
〔比較例２〕・・・・（Ａ）成分を含まない。
イゲンＨＣ−２５０（第一工業薬品（株），ポリオキシエチレン硬化ヒマシ油）    １０．０％
（Ｄ）信濃ランダムＧＰ−２０００（信越化学（株），炭化珪素，平均粒径６．７μｍ）５０．０％
（Ｂ）プロピレングリコール                                              ２０．０％
（Ｅ−１）セロゲンＢＳＨ−１０（第一工業薬品（株），カルボキシメチルセルロース）    １．０％
（Ｃ）水                                                        １８．８％
（Ｅ−５）メチルパラベン                                                  ０．２％
【００３６】
〔比較例３〕・・・・（Ａ）成分を含まない。
ラミゲンＥＴ−６０（第一工業薬品（株），ポリオキシエチレンラノリンアルコール）        １０．０％
（Ｄ）信濃ランダムＧＰ−２０００（信越化学（株），炭化珪素，平均粒径６．７μｍ）５０．０％
（Ｂ）プロピレングリコール                                              ２０．０％
（Ｅ−１）セロゲンＢＳＨ−１０（第一工業薬品（株），カルボキシメチルセルロース）    １．０％
（Ｃ）水                                                        １８．８％
（Ｅ−５）メチルパラベン                                                  ０．２％
【００３７】
〔比較例４〕・・・・（Ａ）成分を含まない。
エパン４０（第一工業薬品（株），ポリオキシエチレンポリオキシプロピレングルコール）  １０．０％
（Ｄ）信濃ランダムＧＰ−２０００（信越化学（株），炭化珪素，平均粒径６．７μｍ）５０．０％
（Ｂ）プロピレングリコール                                              ２０．０％
（Ｅ−１）セロゲンＢＳＨ−１０（第一工業薬品（株），カルボキシメチルセルロース）    １．０％
（Ｃ）水                                                        １８．８％
（Ｅ−５）メチルパラベン                                                  ０．２％
【００３８】
〔比較例５〕・・・・（Ｄ）成分を含まない。
（Ａ）ラピゾールＡ−７０（日本油脂（株），スルホコハク酸塩，固形分７０％）        ２０．０％
（Ｅ−２）ホワイトモランダムＷＡ−２０００（昭和電工（株），微粒アルミナ，平均粒径６．７μｍ）５０．０％
（Ｂ）プロピレングリコール                                              ２０．０％
（Ｅ−１）セロゲンＢＳＨ−１０（第一工業薬品（株），カルボキシメチルセルロース）    １．０％
（Ｃ）水                                                          ８．８％
（Ｅ−５）メチルパラベン                                                  ０．２％
【００３９】
〔比較例６〕・・・・（Ｄ）成分を含まない。
（Ａ）ソルゲン４０（第一工業薬品（株），ソルビタン脂肪酸エステル）            １０．０％
（Ｅ−２）アルミナＡ３３Ｆ（日本軽金属学（株），微粒アルミナ，平均粒径０．７μｍ）    ５０．０％
（Ｂ）プロピレングリコール                                              １０．０％
（Ｃ）水                                                          ９．８％
（Ｃ）ミネラルスピリットＡ（新日本石油（株），ナフサ）                        ２０．０％
（Ｅ−５）メチルパラベン                                                  ０．２％
【００４０】
〔比較例７〕・・・・（Ｄ）成分を含まない。
（Ａ）ラピゾールＡ−７０（日本油脂（株），スルホコハク酸塩，固形分７０％）        １０．０％
（Ｅ−２）ルミノックスＴＥ−５００（セイミケミカル（株），酸化セリウム，平均粒径１．８μｍ）４０．０％
（Ｂ）プロピレングリコール                                                １０．０％
（Ｃ）水                                                            ９．８％
（Ｃ）ミネラルスピリットＡ（新日本石油（株），ナフサ）                        ３０．０％
（Ｅ−５）メチルパラベン                                                    ０．２％
【００４１】
〔比較例８〕・・・・（Ｄ）成分を含まない。
ノイゲンＥＴ−１４７（第一工業薬品（株），ポリオキシエチレンアルキルエーテル）          １０．０％
（Ａ）ラピゾールＡ−７０（日本油脂（株），スルホコハク酸塩，固形分７０％）          １０．０％
（Ｅ−２）ホワイトモランダムＷＡ−２０００（昭和電工（株），微粒アルミナ，平均粒径６．７μｍ）５０．０％
（Ｂ）プロピレングリコール                                              ２０．０％
（Ｅ−１）セロゲンＢＳＨ−１０（第一工業薬品（株），カルボキシメチルセルロース）    １．０％
（Ｃ）水                                                            ８．８％
（Ｅ−５）メチルパラベン                                                    ０．２％
【００４２】
《試験方法》
実際に電車で使用していたウロコ状固着物付ガラスを入手し、作製した前記実施例１〜１４、及び比較例１〜８のウロコ状固着物除去剤を不織布に適量塗布し、縦に同じ場所を１０往復した時の、ウロコ状固着物の除去具合を、目視により判定した。
【００４３】
《評価基準》
撥水被膜（ウロコ状固着物）除去率判定；
９０％以上除去されている。  ：◎
７０％以上除去されている。  ：○
５０％以上除去されている。  ：△
３０％以上除去されている。  ：×
殆ど取れていない。          ：××
【００４４】
《結果》
【表１】
2004176022.tif 000002
上表１より明らかなように、本発明のウロコ状固着物除去剤の実施例１〜１４によるウロコ状固着物除去性は、非常に効果的である事が判明した。
【００４５】
【発明の効果】
以上説明したように本発明のウロコ状固着物除去剤は、塗布具に付け、数回被処理面を研磨するだけでウロコ状固着物が除去でき、被処理面の表面光沢を回復することができる。より具体的には、前記（Ａ）成分にて化学的に、前記（Ｄ）成分にて物理的にウロコ状固着物に対して働きかけ（除去作用を及ぼし）、前記（Ｂ）成分及び（Ｃ）成分にて容易に拭き取ることができ、前記（Ａ）〜（Ｄ）の４成分のうち、何れか一成分が欠けても十分なウロコ状固着物除去効果が得られない。